(57)【要約】【課題】  リモコン操作などの再生操作ログはわからない状況でも、どのような再生操作（通常再生（等倍速再生）及びトリックプレイ）を行ったかを判定すること。【解決手段】  処理部は、録画再生装置から入力した音声又は映像又はコンテンツ付加情報に埋め込まれた、タイミング情報を算出又は検出し（Ｓ１０１）、検出日時と対応して蓄積部に記録する（Ｓ１０２）。計算部は、再生操作を表すための指標Ｒを計算し（Ｓ１０３〜Ｓ１０５）、指標Ｒに基づき、再生操作が、一時停止、早送り、前スロー、スキップ、巻き戻し、後ろスロー、早戻し、等倍速再生等のどの再生操作であるかを判定して（Ｓ１０６）、判定結果を表示部に表示する及び／又は出力部に出力する（Ｓ１０７）。【選択図】  図４
2014064179.tif 000002
【特許請求の範囲】
【請求項１】
視聴状況調査システムにおいて、
処理部と、
蓄積部と、
計算部と
を備え、
前記処理部は、録画再生装置が、コンテンツの再生操作により再生したコンテンツの音声又は映像又はコンテンツ付加情報を入力し、音声又は映像又はコンテンツ付加情報を元に、放送日時情報又は再生位置情報を表すためのタイミング情報を算出又は検出し、
前記処理部又は前記計算部は、前記タイミング情報と、前記タイミング情報を算出又は検出した検出日時とを対応して前記蓄積部に記録し、
前記計算部は、前記蓄積部に記憶された各レコードについて、再生操作を表すための指標Ｒを、次式により計算し、検出日時及びタイミング情報に対応して、指標Ｒを前記蓄積部に蓄積し、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
前記計算部は、指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力するための指示をする
視聴状況調査システム。
【請求項２】
視聴状況調査システムにおいて、
処理部と、
蓄積部と、
計算部と、
エリア内の全チャンネルの放送からキャプチャされた映像又は音声信号からフィンガープリント（ＦＰ）を生成し、及び／又は、記録媒体に記録されたコンテンツ又はネットワークから配信されたコンテンツからフィンガープリント（ＦＰ）を生成し、放送日時情報又は再生位置情報を表すためのタイミング情報に対応して、生成したＦＰを記憶したデータベースを有するマスターサーバ
を備え、
（ｉ）前記処理部は、入力した映像又は音声のＦＰを生成し、前記マスターサーバに、生成されたＦＰを含めた問合せを送信し、
又は、
（ｉｉ）前記処理部は入力した映像又は音声の映像又は音声信号を前記マスターサーバに送信し、前記マスターサーバは受信した映像又は音声信号のＦＰを生成し、
前記マスターサーバは、前記処理部で生成したＦＰ又は前記マスターサーバで問合せにより生成したＦＰと、前記データベースに蓄積されたＦＰとのマッチング処理により、問合せのＦＰ又は映像・音声のタイミング情報を特定し、前記処理部にタイミング情報を返答し、
前記処理部又は前記計算部は、前記タイミング情報と、前記映像又は音声を受信した日時である検出日時とを対応して前記蓄積部に記録し、
前記計算部は、前記蓄積部に記憶された各レコードについて、再生操作を表すための指標Ｒを、次式により計算し、検出日時及びタイミング情報に対応して、指標Ｒを前記蓄積部に蓄積し、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
前記計算部は、指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力する指示をする
視聴状況調査システム。
【請求項３】
請求項１又は２に記載の視聴状況調査システムにおいて、
前記処理部、前記蓄積部及び前記計算部を有する視聴状況調査装置
を備えたことを特徴とする、視聴状況調査システム。
【請求項４】
請求項１又は２に記載の視聴状況調査システムにおいて、
前記処理部を有する視聴状況調査装置と、
前記蓄積部及び前記計算部を有する計算サーバと
を備えたことを特徴とする、視聴状況調査システム。
【請求項５】
請求項４に記載の視聴状況調査システムにおいて、
前記処理部は、検出した前記タイミング情報と前記検出日時を、前記計算サーバに送信し、
前記計算サーバは前記蓄積部に、前記タイミング情報と前記検出日時を対応して記録することを特徴とする、視聴状況調査システム。
【請求項６】
請求項５に記載の視聴状況調査システムにおいて、
複数の前記処理部を備え、
前記計算サーバは複数の前記処理部から受信した複数の前記タイミング情報及び前記検出日時を、前記処理部に対応して前記蓄積部に記録し、各前記処理部について、前記指標Ｒに基づき再生操作を判定することを特徴とする、視聴状況調査システム。
【請求項７】
請求項１、３乃至６のいずれかに記載の視聴状況調査システムであって、
エリア内の全チャンネルの放送からキャプチャされた映像又は音声信号からフィンガープリント（ＦＰ）を生成し、放送日時に対応して、生成したＦＰを記憶したデータベースを有するマスターサーバをさらに備え、
（ｉ）前記処理部は、タイミング情報を検出できない場合、入力した映像又は音声のＦＰを生成し、前記マスターサーバに、生成されたＦＰを含めた問合せを送信し、
又は、
（ｉｉ）前記処理部は入力した映像又は音声の映像又は音声信号を前記マスターサーバに送信し、前記マスターサーバは受信した映像又は音声信号のＦＰを生成し、
前記マスターサーバは、前記処理部で生成したＦＰ又は前記マスターサーバで問合せにより生成したＦＰと、前記データベースに蓄積されたＦＰとのマッチング処理により、問合せのＦＰ又は映像・音声の放送日時を特定し、前記処理部に前記放送日時を返答し、
前記処理部は、受信した放送日時をタイミング情報として用いて、前記映像・音声信号又はコンテンツ付加情報を受信した日時である検出日時と対応して前記蓄積部に記録する
ことを特徴とする視聴状況調査システム。
【請求項８】
請求項１、３乃至６のいずれかに記載の視聴状況調査システムであって、
記録媒体に記録されたコンテンツ又はネットワークから配信されたコンテンツからフィンガープリント（ＦＰ）を生成し、再生位置又は相対時刻に対応して、生成したＦＰを記憶したデータベースを有するマスターサーバをさらに備え、
（ｉ）前記処理部は、タイミング情報を検出できない場合、入力した映像又は音声のＦＰを生成し、前記マスターサーバに、生成されたＦＰを含めた問合せを送信し、
又は、
（ｉｉ）前記処理部は入力した映像又は音声の映像・音声信号を前記マスターサーバに送信し、前記マスターサーバは受信した映像又は音声信号のＦＰを生成し、
前記マスターサーバは、前記処理部で生成したＦＰ又は前記マスターサーバで問合せにより生成したＦＰと、前記データベースに蓄積されたＦＰとのマッチング処理により、問合せのＦＰ又は映像・音声の再生位置又は相対時刻を特定し、前記処理部に前記再生位置又は前記相対時刻を返答し、
前記処理部は、受信した再生位置又は相対時刻をタイミング情報として用いて、、前記映像・音声信号又はコンテンツ付加情報を受信した日時である検出日時と対応して前記蓄積部に記録する
ことを特徴とする視聴状況調査システム。
【請求項９】
請求項１乃至８のいずれかに記載の視聴状況調査システムであって、
前記タイミング情報として、放送日時情報を用いることを特徴とする視聴状況調査システム。
【請求項１０】
請求項１乃至９に記載の視聴状況調査システムであって、
前記録画再生装置は、記録媒体に記録されたコンテンツ又はネットワークから配信されたコンテンツを再生し、
前記タイミング情報として、再生位置に対応する相対時刻又はその他の再生位置情報を有する
ことを特徴とする視聴状況調査システム。
【請求項１１】
請求項１乃至１０のいずれかに記載の視聴状況調査システムであって、
前記蓄積部は、検出日時、放送日時情報、タイミング情報と検出日時の差分であるタイムシフト値、１レコード前の検出日時の差分Ｃ、１レコード前のタイムシフト値の差分Ｄｔｓ、指標Ｒを含むレコードを記憶することを特徴とする視聴状況調査システム。
【請求項１２】
請求項１乃至１１のいずれかに記載の視聴状況調査システムであって、
前記計算部は、指標Ｒに対して再生操作を記憶した判別テーブルを有し、指標Ｒに基づき前記判別テーブルを参照して、再生操作を判定することを特徴とする視聴状況調査システム。
【請求項１３】
請求項１２に記載の視聴状況調査システムであって、
前記判別テーブルは、指標Ｒに基づく再生操作の判定結果を表す設定データを、次の設定データ中から複数含むことを特徴とする視聴状況調査システム。
Ｒ＝１：等倍速再生
Ｒ＝０：一時停止
Ｒ＝∞：ジャンプ、スキップ
Ｒ＝ｎ（ｎは２以上の整数）：早送り、ｎ倍速再生
Ｒ＝ｍ（０＜ｍ＜１）：スロー再生、前方向、ｍ倍速
Ｒ＝−１：巻き戻し、等倍速
Ｒ＝−ｎ（ｎは２以上の整数）：巻き戻し、ｎ倍速
Ｒ＝−ｍ（０＜ｍ＜１）：スロー再生、後ろ方向、ｍ倍速
【請求項１４】
請求項１乃至１３のいずれかに記載の視聴状況調査システムであって、
前記計算部は、検出日時又はタイミング情報に対応して、指標Ｒ及び／又は再生操作の判定結果を示したテーブルを作成し、表示部により表示する及び／又は出力部により出力することを特徴とする視聴状況調査システム。
【請求項１５】
請求項１乃至１３のいずれかに記載の視聴状況調査システムであって、
前記計算部は、判定結果をもとに、検出日時に対応する視聴経過時間とタイミング情報に対応する再生位置の関係を表す第１のグラフであって、
座標（ｐ１，ｔ１）が、
ｐ１は、タイミング情報に対応する、コンテンツの再生位置を表し、
ｔ１は、検出日時に対応する、視聴開始時間からの視聴経過時間を表し、
グラフの傾きＲが、再生速度を表す、
前記第１のグラフを作成し、
前記計算部は、前記第１のグラフを表示部により表示する及び／又は出力部により出力する
ことを特徴とする視聴状況調査システム。
【請求項１６】
請求項１乃至１３のいずれかに記載の視聴状況調査システムであって、
前記計算部は、判定結果をもとに、検出日時に対応する視聴経過時間と指標Ｒの関係を表す第２のグラフであって、
座標（ｒ１，ｔ１）が、
ｒ１は、指標Ｒを表し、
ｔ１は、検出日時に対応する、視聴開始時間からの視聴経過時間を表す、
前記第２のグラフを作成し、
前記計算部は、前記第２のグラフを表示部により表示する及び／又は出力部により出力する
ことを特徴とする視聴状況調査システム。
【請求項１７】
請求項１６に記載の視聴状況調査システムであって、
前記計算部は、さらに、前記第２のグラフの指標Ｒの絶対値の時間積分により、再生されたコンテンツの素材尺の合計を計算し、
前記計算部は、前記合計を表示部により表示する及び／又は出力部により出力する
ことを特徴とする視聴状況調査システム。
【請求項１８】
請求項１乃至１７のいずれかに記載の視聴状況調査システムであって、
放送信号に、タイミング情報を含む透かしデータを埋め込む、又は、タイミング情報を含むコンテンツ付加情報を付加するタイミング情報付加部を有し、コンテンツを放送する放送局と、
前記放送局からの放送信号を受信して、録画再生装置にコンテンツを録画する、又は、放送信号の再生信号を有線又は無線で送信する受信機と
をさらに備えたことを特徴とする視聴状況調査システム。
【請求項１９】
請求項１８に記載の視聴状況調査システムであって、
前記視聴状況調査装置は、前記受信機から、コンテンツの再生信号を有線又は無線で受信することを特徴とする視聴状況調査システム。
【請求項２０】
処理部と、蓄積部と、計算部とを備えた視聴状況調査システムにおける視聴状況調査方法であって、
前記処理部は、録画再生装置が、コンテンツの再生操作により再生したコンテンツの音声又は映像又はコンテンツ付加情報を入力し、音声又は映像又はコンテンツ付加情報を元に、放送日時情報又は再生位置情報を表すためのタイミング情報を算出又は検出し、
前記処理部又は前記計算部は、前記タイミング情報と、前記タイミング情報を算出又は検出した検出日時とを対応して前記蓄積部に記録し、
前記計算部は、前記蓄積部に記憶された各レコードについて、再生操作を表すための指標Ｒを、次式により計算し、検出日時及びタイミング情報に対応して、指標Ｒを前記蓄積部に蓄積し、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
前記計算部は、指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力するための指示をする
視聴状況調査方法。
【請求項２１】
処理部と、蓄積部と、計算部と、エリア内の全チャンネルの放送からキャプチャされた映像又は音声信号からフィンガープリント（ＦＰ）を生成し、及び／又は、記録媒体に記録されたコンテンツ又はネットワークから配信されたコンテンツからフィンガープリント（ＦＰ）を生成し、放送日時情報又は再生位置情報を表すためのタイミング情報に対応して、生成したＦＰを記憶したデータベースを有するマスターサーバを備えた視聴状況調査システムにおける視聴状況調査方法であって、
（ｉ）前記処理部は、入力した映像又は音声のＦＰを生成し、前記マスターサーバに、生成されたＦＰを含めた問合せを送信し、
又は、
（ｉｉ）前記処理部は入力した映像又は音声の映像又は音声信号を前記マスターサーバに送信し、前記マスターサーバは受信した映像又は音声信号のＦＰを生成し、
前記マスターサーバは、前記処理部で生成したＦＰ又は前記マスターサーバで問合せにより生成したＦＰと、前記データベースに蓄積されたＦＰとのマッチング処理により、問合せのＦＰ又は映像・音声のタイミング情報を特定し、前記処理部にタイミング情報を返答し、
前記処理部又は前記計算部は、前記タイミング情報と、前記映像又は音声を受信した日時である検出日時とを対応して前記蓄積部に記録し、
前記計算部は、前記蓄積部に記憶された各レコードについて、再生操作を表すための指標Ｒを、次式により計算し、検出日時及びタイミング情報に対応して、指標Ｒを前記蓄積部に蓄積し、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
前記計算部は、指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力する指示をする
視聴状況調査方法。
【請求項２２】
処理部と、蓄積部と、計算部とを備えた視聴状況調査システムにおける視聴状況調査処理プログラムであって、
前記処理部は、録画再生装置が、コンテンツの再生操作により再生したコンテンツの音声又は映像又はコンテンツ付加情報を入力し、音声又は映像又はコンテンツ付加情報を元に、放送日時情報又は再生位置情報を表すためのタイミング情報を算出又は検出する手順と、
前記処理部又は前記計算部は、前記タイミング情報と、前記タイミング情報を算出又は検出した検出日時とを対応して前記蓄積部に記録する手順と、
前記計算部は、前記蓄積部に記憶された各レコードについて、再生操作を表すための指標Ｒを、次式により計算し、検出日時及びタイミング情報に対応して、指標Ｒを前記蓄積部に蓄積する手順と、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
前記計算部は、指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力するための指示をする手順と
をコンピュータに実行させるための視聴状況調査処理プログラム。
【請求項２３】
処理部と、蓄積部と、計算部と、エリア内の全チャンネルの放送からキャプチャされた映像又は音声信号からフィンガープリント（ＦＰ）を生成し、及び／又は、記録媒体に記録されたコンテンツ又はネットワークから配信されたコンテンツからフィンガープリント（ＦＰ）を生成し、放送日時情報又は再生位置情報を表すためのタイミング情報に対応して、生成したＦＰを記憶したデータベースを有するマスターサーバを備えた視聴状況調査システムにおける視聴状況調査処理プログラムであって、
（ｉ）前記処理部は、入力した映像又は音声のＦＰを生成し、前記マスターサーバに、生成されたＦＰを含めた問合せを送信する手順、
又は、
（ｉｉ）前記処理部は入力した映像又は音声の映像又は音声信号を前記マスターサーバに送信し、前記マスターサーバは受信した映像又は音声信号のＦＰを生成する手順と、
前記マスターサーバは、前記処理部で生成したＦＰ又は前記マスターサーバで問合せにより生成したＦＰと、前記データベースに蓄積されたＦＰとのマッチング処理により、問合せのＦＰ又は映像・音声のタイミング情報を特定し、前記処理部にタイミング情報を返答する手順と、
前記処理部又は前記計算部は、前記タイミング情報と、前記映像又は音声を受信した日時である検出日時とを対応して前記蓄積部に記録する手順と、
前記計算部は、前記蓄積部に記憶された各レコードについて、再生操作を表すための指標Ｒを、次式により計算し、検出日時及びタイミング情報に対応して、指標Ｒを前記蓄積部に蓄積する手順と、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
前記計算部は、指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力する指示をする手順と
をコンピュータに実行させるための視聴状況調査処理プログラム。
【請求項２４】
処理部と、蓄積部と、視聴状況計算装置とを備えた視聴状況調査システムにおける視聴状況計算装置であって、
前記処理部が、録画再生装置が、コンテンツの再生操作により再生したコンテンツの音声又は映像又はコンテンツ付加情報を入力し、音声又は映像又はコンテンツ付加情報を元に、放送日時情報又は再生位置情報を表すためのタイミング情報を算出又は検出したら、
前記タイミング情報と、前記タイミング情報を算出又は検出した検出日時とを対応して前記蓄積部に記録し、
前記蓄積部に記憶された各レコードについて、再生操作を表すための指標Ｒを、次式により計算し、検出日時及びタイミング情報に対応して、指標Ｒを前記蓄積部に蓄積し、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力するための指示をする
視聴状況計算装置。
【請求項２５】
処理部と、蓄積部と、視聴状況計算装置と、エリア内の全チャンネルの放送からキャプチャされた映像又は音声信号からフィンガープリント（ＦＰ）を生成し、及び／又は、記録媒体に記録されたコンテンツ又はネットワークから配信されたコンテンツからフィンガープリント（ＦＰ）を生成し、放送日時情報又は再生位置情報を表すためのタイミング情報に対応して、生成したＦＰを記憶したデータベースを有するマスターサーバを備えた視聴状況調査システムにおける視聴状況計算装置であって、
（ｉ）前記処理部が、入力した映像又は音声のＦＰを生成し、前記マスターサーバに、生成されたＦＰを含めた問合せを送信し、
又は、
（ｉｉ）前記処理部が入力した映像又は音声の映像又は音声信号を前記マスターサーバに送信し、前記マスターサーバは受信した映像又は音声信号のＦＰを生成し、
さらに、
前記マスターサーバが、前記処理部で生成したＦＰ又は前記マスターサーバで問合せにより生成したＦＰと、前記データベースに蓄積されたＦＰとのマッチング処理により、問合せのＦＰ又は映像・音声のタイミング情報を特定し、前記処理部にタイミング情報を返答したら、
前記タイミング情報と、前記映像又は音声を受信した日時である検出日時とを対応して前記蓄積部に記録し、
前記蓄積部に記憶された各レコードについて、再生操作を表すための指標Ｒを、次式により計算し、検出日時及びタイミング情報に対応して、指標Ｒを前記蓄積部に蓄積し、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力する指示をする
視聴状況計算装置。
【発明の詳細な説明】
【技術分野】
【０００１】
本発明は、視聴状況調査システム及び方法、視聴状況調査処理プログラム、視聴状況計算装置に係り、特に、音声又は映像に重畳された透かしやフィンガープリント（ＦＰ）や、データ放送・アンシラリデータなどのコンテンツ付加情報等で特定されるタイミング情報（放送日時情報、再生位置情報等）から、どのような再生操作（通常再生（等倍速再生）及びトリックプレイ）がなされたかを、判定及び／又は表示するための視聴状況調査システム及び方法、視聴状況調査処理プログラム、視聴状況計算装置に関する。
【背景技術】
【０００２】
ビデオデッキなどに録画して再生する場合又は、ビデオオンデマンドなどでの視聴スタイルとして、通常再生（等倍速再生）及びトリックプレイがある。トリックプレイは、通常の再生（等倍速再生）以外の再生プレイのことであり、例えば、以下の再生操作が含まれる。すなわち、一時停止、早送り、前スロー、スキップ、巻き戻し、後ろスロー、早戻し、等である。
一般に、透かしやＦＰなどを用いて、視聴測定を行う場合、このような早送りやスキップ再生等の再生操作（トリックプレイ）ではデータが取れないことが想定されるが、どのような再生操作（通常再生（等倍速再生）及びトリックプレイ）を行ったのか、知りたい、という要求がある。
【０００３】
従来技術として、特許文献１には、「テレビ放送番組のオンタイムの視聴に関するデータとビデオやＤＶＤによる視聴に関するデータとの両方を得ることができるとともに、視聴の際に行われた早送りや巻戻しに関する再生状態に関するデータも得ること」（段落００４４）ができるようにした技術が記載されている。
また、従来、テレビ視聴率やラジオ聴取率測定の手法のひとつに放送識別（ＩＤ）信号を利用するシステムが提案されている。放送ＩＤ信号とは、放送局を識別するための放送局毎にユニークに割り付けられた信号で、時刻データなども含むことができる。
【０００４】
例えば、特許文献２には、「放送局や集計センターの外部に特別な設備を設けることなく、視聴率データ（透かし等で埋め込まれた放送ＩＤ信号）の欠落を抑制、補正する」（要約）ようにした、視聴データ処理システム、視聴データ処理装置等が記載されている。
特許文献３には、「埋め込み装置を含む送出システム構成を最適化することにより、透かし等の埋め込み情報の欠落を防止可能な送出システム」（要約）が記載されている。
【先行技術文献】
【特許文献】
【０００５】
【特許文献１】特開２００６−２４５６４１号公報
【特許文献２】特開２０１０−１７１６０６号公報
【特許文献３】特開２０１０−１７１８７０号公報
【発明の概要】
【発明が解決しようとする課題】
【０００６】
しかしながら、従来技術では、「通常の再生（早送りや巻戻しなどが行われていない）が行われたと判断される」（特許技術１、段落００４１）ことは、言及されているが、通常再生（等倍速再生）及びトリックプレイの詳細内容、例えば、どの再生操作、再生モード等が行われたかを判定する点について、その具体的な手法には触れられておらず、記載されていない。
本発明は、以上の点に鑑み、リモコン操作などの再生操作ログはわからない状況でも、どのような再生操作（通常再生（等倍速再生）及びトリックプレイ）を行ったかを判定することを目的とする。
【課題を解決するための手段】
【０００７】
本発明の第１の解決手段によると、
視聴状況調査システムにおいて、
処理部と、
蓄積部と、
計算部と
を備え、
前記処理部は、録画再生装置が、コンテンツの再生操作により再生したコンテンツの音声又は映像又はコンテンツ付加情報を入力し、音声又は映像又はコンテンツ付加情報を元に、放送日時情報又は再生位置情報を表すためのタイミング情報を算出又は検出し、
前記処理部又は前記計算部は、前記タイミング情報と、前記タイミング情報を算出又は検出した検出日時とを対応して前記蓄積部に記録し、
前記計算部は、前記蓄積部に記憶された各レコードについて、再生操作を表すための指標Ｒを、次式により計算し、検出日時及びタイミング情報に対応して、指標Ｒを前記蓄積部に蓄積し、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
前記計算部は、指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力するための指示をする
視聴状況調査システムが提供される。
【０００８】
本発明の第２の解決手段によると、
視聴状況調査システムにおいて、
処理部と、
蓄積部と、
計算部と、
エリア内の全チャンネルの放送からキャプチャされた映像又は音声信号からフィンガープリント（ＦＰ）を生成し、及び／又は、記録媒体に記録されたコンテンツ又はネットワークから配信されたコンテンツからフィンガープリント（ＦＰ）を生成し、放送日時情報又は再生位置情報を表すためのタイミング情報に対応して、生成したＦＰを記憶したデータベースを有するマスターサーバ
を備え、
（ｉ）前記処理部は、入力した映像又は音声のＦＰを生成し、前記マスターサーバに、生成されたＦＰを含めた問合せを送信し、
又は、
（ｉｉ）前記処理部は入力した映像又は音声の映像又は音声信号を前記マスターサーバに送信し、前記マスターサーバは受信した映像又は音声信号のＦＰを生成し、
前記マスターサーバは、前記処理部で生成したＦＰ又は前記マスターサーバで問合せにより生成したＦＰと、前記データベースに蓄積されたＦＰとのマッチング処理により、問合せのＦＰ又は映像・音声のタイミング情報を特定し、前記処理部にタイミング情報を返答し、
前記処理部又は前記計算部は、前記タイミング情報と、前記映像又は音声を受信した日時である検出日時とを対応して前記蓄積部に記録し、
前記計算部は、前記蓄積部に記憶された各レコードについて、再生操作を表すための指標Ｒを、次式により計算し、検出日時及びタイミング情報に対応して、指標Ｒを前記蓄積部に蓄積し、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
前記計算部は、指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力する指示をする
視聴状況調査システムが提供される。
【０００９】
本発明の第３の解決手段によると、
処理部と、蓄積部と、計算部とを備えた視聴状況調査システムにおける視聴状況調査方法であって、
前記処理部は、録画再生装置が、コンテンツの再生操作により再生したコンテンツの音声又は映像又はコンテンツ付加情報を入力し、音声又は映像又はコンテンツ付加情報を元に、放送日時情報又は再生位置情報を表すためのタイミング情報を算出又は検出し、
前記処理部又は前記計算部は、前記タイミング情報と、前記タイミング情報を算出又は検出した検出日時とを対応して前記蓄積部に記録し、
前記計算部は、前記蓄積部に記憶された各レコードについて、再生操作を表すための指標Ｒを、次式により計算し、検出日時及びタイミング情報に対応して、指標Ｒを前記蓄積部に蓄積し、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
前記計算部は、指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力するための指示をする
視聴状況調査方法が提供される。
【００１０】
本発明の第４の解決手段によると、
処理部と、蓄積部と、計算部と、エリア内の全チャンネルの放送からキャプチャされた映像又は音声信号からフィンガープリント（ＦＰ）を生成し、及び／又は、記録媒体に記録されたコンテンツ又はネットワークから配信されたコンテンツからフィンガープリント（ＦＰ）を生成し、放送日時情報又は再生位置情報を表すためのタイミング情報に対応して、生成したＦＰを記憶したデータベースを有するマスターサーバを備えた視聴状況調査システムにおける視聴状況調査方法であって、
（ｉ）前記処理部は、入力した映像又は音声のＦＰを生成し、前記マスターサーバに、生成されたＦＰを含めた問合せを送信し、
又は、
（ｉｉ）前記処理部は入力した映像又は音声の映像又は音声信号を前記マスターサーバに送信し、前記マスターサーバは受信した映像又は音声信号のＦＰを生成し、
前記マスターサーバは、前記処理部で生成したＦＰ又は前記マスターサーバで問合せにより生成したＦＰと、前記データベースに蓄積されたＦＰとのマッチング処理により、問合せのＦＰ又は映像・音声のタイミング情報を特定し、前記処理部にタイミング情報を返答し、
前記処理部又は前記計算部は、前記タイミング情報と、前記映像又は音声を受信した日時である検出日時とを対応して前記蓄積部に記録し、
前記計算部は、前記蓄積部に記憶された各レコードについて、再生操作を表すための指標Ｒを、次式により計算し、検出日時及びタイミング情報に対応して、指標Ｒを前記蓄積部に蓄積し、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
前記計算部は、指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力する指示をする
視聴状況調査方法が提供される。
【００１１】
本発明の第５の解決手段によると、
処理部と、蓄積部と、計算部とを備えた視聴状況調査システムにおける視聴状況調査処理プログラムであって、
前記処理部は、録画再生装置が、コンテンツの再生操作により再生したコンテンツの音声又は映像又はコンテンツ付加情報を入力し、音声又は映像又はコンテンツ付加情報を元に、放送日時情報又は再生位置情報を表すためのタイミング情報を算出又は検出する手順と、
前記処理部又は前記計算部は、前記タイミング情報と、前記タイミング情報を算出又は検出した検出日時とを対応して前記蓄積部に記録する手順と、
前記計算部は、前記蓄積部に記憶された各レコードについて、再生操作を表すための指標Ｒを、次式により計算し、検出日時及びタイミング情報に対応して、指標Ｒを前記蓄積部に蓄積する手順と、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
前記計算部は、指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力するための指示をする手順と
をコンピュータに実行させるための視聴状況調査処理プログラムが提供される。
【００１２】
本発明の第６の解決手段によると、
処理部と、蓄積部と、計算部と、エリア内の全チャンネルの放送からキャプチャされた映像又は音声信号からフィンガープリント（ＦＰ）を生成し、及び／又は、記録媒体に記録されたコンテンツ又はネットワークから配信されたコンテンツからフィンガープリント（ＦＰ）を生成し、放送日時情報又は再生位置情報を表すためのタイミング情報に対応して、生成したＦＰを記憶したデータベースを有するマスターサーバを備えた視聴状況調査システムにおける視聴状況調査処理プログラムであって、
（ｉ）前記処理部は、入力した映像又は音声のＦＰを生成し、前記マスターサーバに、生成されたＦＰを含めた問合せを送信する手順、
又は、
（ｉｉ）前記処理部は入力した映像又は音声の映像又は音声信号を前記マスターサーバに送信し、前記マスターサーバは受信した映像又は音声信号のＦＰを生成する手順と、
前記マスターサーバは、前記処理部で生成したＦＰ又は前記マスターサーバで問合せにより生成したＦＰと、前記データベースに蓄積されたＦＰとのマッチング処理により、問合せのＦＰ又は映像・音声のタイミング情報を特定し、前記処理部にタイミング情報を返答する手順と、
前記処理部又は前記計算部は、前記タイミング情報と、前記映像又は音声を受信した日時である検出日時とを対応して前記蓄積部に記録する手順と、
前記計算部は、前記蓄積部に記憶された各レコードについて、再生操作を表すための指標Ｒを、次式により計算し、検出日時及びタイミング情報に対応して、指標Ｒを前記蓄積部に蓄積する手順と、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
前記計算部は、指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力する指示をする手順と
をコンピュータに実行させるための視聴状況調査処理プログラムが提供される。
【００１３】
本発明の第７の解決手段によると、
処理部と、蓄積部と、視聴状況計算装置とを備えた視聴状況調査システムにおける視聴状況計算装置であって、
前記処理部が、録画再生装置が、コンテンツの再生操作により再生したコンテンツの音声又は映像又はコンテンツ付加情報を入力し、音声又は映像又はコンテンツ付加情報を元に、放送日時情報又は再生位置情報を表すためのタイミング情報を算出又は検出したら、
前記タイミング情報と、前記タイミング情報を算出又は検出した検出日時とを対応して前記蓄積部に記録し、
前記蓄積部に記憶された各レコードについて、再生操作を表すための指標Ｒを、次式により計算し、検出日時及びタイミング情報に対応して、指標Ｒを前記蓄積部に蓄積し、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力するための指示をする
視聴状況計算装置が提供される。
【００１４】
本発明の第８の解決手段によると、
処理部と、蓄積部と、視聴状況計算装置と、エリア内の全チャンネルの放送からキャプチャされた映像又は音声信号からフィンガープリント（ＦＰ）を生成し、及び／又は、記録媒体に記録されたコンテンツ又はネットワークから配信されたコンテンツからフィンガープリント（ＦＰ）を生成し、放送日時情報又は再生位置情報を表すためのタイミング情報に対応して、生成したＦＰを記憶したデータベースを有するマスターサーバを備えた視聴状況調査システムにおける視聴状況計算装置であって、
（ｉ）前記処理部が、入力した映像又は音声のＦＰを生成し、前記マスターサーバに、生成されたＦＰを含めた問合せを送信し、
又は、
（ｉｉ）前記処理部が入力した映像又は音声の映像又は音声信号を前記マスターサーバに送信し、前記マスターサーバは受信した映像又は音声信号のＦＰを生成し、
さらに、
前記マスターサーバが、前記処理部で生成したＦＰ又は前記マスターサーバで問合せにより生成したＦＰと、前記データベースに蓄積されたＦＰとのマッチング処理により、問合せのＦＰ又は映像・音声のタイミング情報を特定し、前記処理部にタイミング情報を返答したら、
前記タイミング情報と、前記映像又は音声を受信した日時である検出日時とを対応して前記蓄積部に記録し、
前記蓄積部に記憶された各レコードについて、再生操作を表すための指標Ｒを、次式により計算し、検出日時及びタイミング情報に対応して、指標Ｒを前記蓄積部に蓄積し、
Ｒ＝（Ｃ−Ｄｔｓ）／Ｃ
ここで、
Ｃは、１レコード前との検出日時の差分
Ｄｔｓは、１レコード前とのタイムシフト値の差分であり、タイムシフト値は、タイミング情報と検出日時の差分
指標Ｒに基づき、再生操作が、一時停止、早送り、前スロー、スキップ、巻き戻し、後ろスロー、早戻し、等倍速再生のいずれか複数を含む再生操作の内どの再生操作であるかを判定して、指標Ｒに該当する再生操作の判定結果を表示部に表示する及び／又は出力部に出力する指示をする
視聴状況計算装置が提供される。
【発明の効果】
【００１５】
本発明によると、リモコン操作などの再生操作ログはわからない状況でも、どのような再生操作（通常再生（等倍速再生）及びトリックプレイ）を行ったかを判定することができる。
【図面の簡単な説明】
【００１６】
【図１】視聴状況調査システムの構成図。
【図２】放送局の構成図。
【図３】蓄積部４４のフォーマット。
【図４】視聴状況調査の処理手順のフローチャート。
【図５】検出部４２の検出動作の説明図。
【図６】蓄積部４４に蓄積されたデータ例（１）の説明図。
【図７】蓄積部４４に蓄積されたデータ例（２）の説明図。
【図８】判別テーブル４７の説明図。
【図９】通常再生（等倍速再生）及びトリックプレイに関してのＤｔｓ及びＲの計算例の説明図（１）。
【図１０】等倍速再生の場合のタイムシフト値についての説明図。
【図１１】通常再生（等倍速再生）及びトリックプレイに関してのＤｔｓ及びＲの計算例の説明図（２）。
【図１２】テーブル及びデータによる判定結果の表示例の図。
【図１３】グラフ１（視聴経過時間と再生位置の関係を表す）による判定結果の表示例の図。
【図１４】グラフ２（再生速度Ｒの推測値の変化を表す）による判定結果の表示例の図。
【図１５】第２の実施の形態における蓄積部４４のフォーマット。
【図１６】視聴状況調査システムの第３の実施の形態の構成図。
【図１７】視聴状況調査システムの第４の実施の形態の構成図。
【図１８】視聴状況調査システムの第４の実施の形態の変形例の構成図。
【図１９】第４の実施の形態の変形例における蓄積部４４のフォーマット。
【図２０】視聴状況調査システムの第５の実施の形態の構成図。
【発明を実施するための形態】
【００１７】
Ａ．第１の実施の形態
１．システム
図１に、視聴状況調査システムの構成図を示す。
本システムは、次の構成ブロックを備える。
・放送局１（例えば、不特定多数の受け手を対象に番組・素材・コンテンツをテレビ、パソコン、ラジオ、携帯機器等に放送・配信・報道するような機関・組織・主体などを指す。）
・受信機２  （テレビ、パソコン、ワンセグ端末、セットトップボックス、録画再生機など）
・録画再生機３（又は、録画再生機能、録画再生ソフトなどであり、受信機２と一体化又は受信機２に内蔵されていてもよい。）
・視聴状況調査装置４
視聴状況調査装置４は、処理部４０、入力部４１、蓄積部４４、表示部又は出力部４６、計算部４９を備える。処理部４０は、検出部４２、時計部４３を備える。計算部４９は、判別部４５、判別テーブル４７を備える。
【００１８】
図２に、放送局の構成図を示す。
放送局１は、タイミング情報付加部１１、ＯＮ／ＯＦＦ設定部１２を備える。タイミング情報付加部１１は、放送信号にタイミング情報（放送日時情報、再生信号情報等）を付加する。タイミング情報付加部１１は、例えば、音声透かし又は映像透かしで重畳するための透かし重畳部、又は、放送信号にタイミング情報をコンテンツ付加情報として付加するコンテンツ付加情報付加部等を備える。ＯＮ／ＯＦＦ設定部１２は、透かし重畳部による透かし処理又はコンテンツ付加情報付加部による情報付加処理等のタイミング情報付加部１１の処理をＯＮ／ＯＦＦ設定する。
タイミング情報としては、例えば、放送日時情報、再生位置情報等を用いることができる。タイミング情報は、例えば、コンテンツ付加情報から抽出したり、映像又は音声から算出又は検出することができる。なお、コンテンツ付加情報は、例えば、映像・音声に付随するメタデータ的なデータである。
【００１９】
図３に、蓄積部４４のフォーマットを示す。
蓄積部４４には、検出日時、タイミング情報、タイミング情報と検出日時の差分であるタイムシフト値、１レコード前との検出日時の差分Ｃ、１レコード前とのタイムシフト値の差分Ｄｔｓ、再生操作を表す指標Ｒを含むレコードが記憶される。
指標Ｒ等の詳細については、後述する。
【００２０】
２．通常再生（等倍速再生）及びトリックプレイの判定処理
以下に、動作を説明する。第１の実施の形態では、一例として、タイミング情報として放送日時情報を用いる場合について説明する。
まず放送局１からの放送の映像又は音声には放送日時情報がタイミング情報として埋め込まれて、コンテンツが放送される。放送局１からの放送は、放送経路を経て、受信機２で受信される。録画再生機３（又は録画再生機能・ソフト）と視聴状況調査装置４との間は、信号が有線又は無線（音声の場合は、空間）で伝送される。
【００２１】
図４に、視聴状況調査の処理手順のフローチャートを示す。
以下に、視聴状況調査装置４での通常再生（等倍速再生）及びトリックプレイ判定処理の各ステップについて説明する。なお、第１の実施の形態では、主に放送素材の場合について説明するが、同様のフローチャートにより、後述の第２の実施の形態で説明するようなＤＶＤ、ブルーレイディスク、ネット配信等のパッケージ素材の場合についても同様に処理を実現することが可能である。
【００２２】
Ｓ１０１．
入力部４１は、映像又は音声又はコンテンツ付加情報に透かし又はアンシラリデータ、データ放送等により特定されるタイミング情報を含む再生信号を入力する。ここで、タイミング情報には、一例として、放送局１により放送日時情報が含まれる。
【００２３】
Ｓ１０２．
検出部４２は、映像又は音声又はコンテンツ付加情報に埋め込まれたタイミング情報（放送日時情報）を検出し、検出した日時を時計部４３により求めて検出日時とし、蓄積部４４に記録する。
図５に、検出部４２の検出動作の説明図を示す。
この例では、放送信号が入力部４１に入力されると、検出部４２は、特定時間（例、１０秒）おきに、タイミング情報（放送日時情報）を検出している。タイミング情報は、再生位置情報の意味も含むと、とらえることができる。なお、タイミング情報は、等間隔に設定されていなくてもよい。例えば、放送局１で、適宜のタイミングでタイミング情報が埋め込まれたり、録画再生機３で、適宜のタイミングでタイミング情報を含むコンテンツを録画してもよいし、検出部４２で適宜のタイミングでタイミング情報を検出するようにしてもよい。
【００２４】
Ｓ１０３．
計算部４９は、蓄積部４４を参照し、タイミング情報と検出日時の差分から、タイムシフト値を算出し、蓄積部４４に蓄積しておく。
図６に、蓄積部４４に蓄積されたデータ例（１）の説明図を示す。
このように、ステップＳ１０２及びＳ１０３により、検出日時に対し、タイミング情報、タイムシフト値が記憶される。図示のように、等倍速再生であれば、各レコード間でタイムシフト値は同じである。
【００２５】
Ｓ１０４．
判別部４５は、蓄積部４４を参照し、蓄積された各レコードについて、１レコード前との検出日時の差分（データの非連続時間）Ｃを算出し、１レコード前とのタイムシフト値の差分Ｄｔｓを算出し、蓄積部４４に記憶する。
【００２６】
Ｓ１０５．
判別部４５は、これらの算出結果をもとに、再生操作を表すための指標Ｒを、次の判定式により求め、蓄積部４４に記憶する。
すなわち、通常再生（等倍速再生）及びトリックプレイの再生操作を表すための指標Ｒを求める判定式は次の通りである。
１レコード前とのタイムシフトの差異を、Ｄｔｓ、
１レコード前との検出日時の差分（データの非連続時間、トリックプレイをしている間の時間等）を、Ｃ
再生操作を表すための指標を、Ｒ
とすると、
Ｒ＝（Ｃ−Ｄｔｓ）／Ｃ
【００２７】
図７に、蓄積部４４に蓄積されたデータ例（２）の説明図を示す。
図示のように、各レコードについて、検出日時、タイミング情報、タイムシフト値に対応して、１レコード前との検出日時の差分Ｃ、１レコード前とのタイムシフト値の差分Ｄｔｓ、再生操作を表す指標Ｒが、記憶される。
【００２８】
Ｓ１０６．
図８に、判別テーブル４７の説明図を示す。
判別テーブル４７は、指標Ｒと判定結果の対応を予め記憶したものである。
判別部４５は、判別テーブル４７を参照して、指標Ｒにより、次のように通常再生（等倍速再生）及びトリックプレイを判定する。また、指標Ｒの数値は、再生スピードを表す（例、Ｒ＝４であれば、４倍速）。なお、判定例を後述する。
・Ｒ＞０  前方向
・Ｒ＜０  後ろ方向
・Ｒ＝１  等倍速再生（通常再生）
・Ｒ＝０  一時停止
・Ｒ＞１  早送り（等倍速以上）
・−１＜Ｒ＜０  等倍速より遅いスローの巻き戻し
・０＜Ｒ＜１  等倍速より遅いスロー再生前方向
・Ｒ＝−１  等倍速逆再生
・Ｒ＜−１  等倍速より速い巻き戻し
なお、判別部４５は、タイムシフト値の差分Ｄｔｓにより、次のように、通常再生（等倍速再生）及びトリックプレイの方向が判定することもできる。
・Ｄｔｓ＝０  ：通常再生（等倍速再生）
・Ｄｔｓ＞０  ：後ろ方向のトリックプレイ
・Ｄｔｓ＜０  ：前方向のトリックプレイ
【００２９】
Ｓ１０７．
判定部４５は、表示部又は出力部４６に、判定結果を表示する。このとき、表やデータにより表示してもよいし、指標Ｒ値の推移をグラフ化し、表示するようにしてもよい。表示例については後述する。このように、指標Ｒ値の算出結果により、どのような再生操作を行ったかを、判定し表示することができる。なお、表示部及び出力部の両方を備えて、それぞれ、データを表示及び出力するようにしてもよい。
【００３０】
３．通常再生（等倍速再生）及びトリックプレイの判定例
図９に、通常再生（等倍速再生）及びトリックプレイに関してのＤｔｓ及びＲの計算例の説明図（１）を示す。
この図は、トリックプレイしないとき（通常再生（等倍速再生））を表す。図では、検出日時が１０：００：００〜１０：００：１０の間の１０秒（＝Ｃ）で、放送日時情報が１０秒進み、前のレコードとのタイムシフト値の差分が、０秒（＝Ｄｔｓ）となった。よって、上式により、
Ｒ＝｛１０−（−０）｝／１０＝１
となる。即ち、判定部４５は、判別テーブルを参照して、Ｒの値から、通常再生（等倍速再生）と判定する。
なお、図１０に、等倍速再生の場合のタイムシフト値についての説明図を示す。
図示のように、等倍速再生の場合、Ｎ秒後は、現在時点はＮ秒進み、再生位置もＮ秒進む。よって、タイムシフト値は変わらないので、タイムシフト値の差異Ｄｔｓは次のようになる。
Ｄｔｓ＝０
【００３１】
図１１は、通常再生（等倍速再生）及びトリックプレイに関してのＤｔｓ及びＲの計算例の説明図（２）を示す。
この図は、トリックプレイするときを表す。図では、検出日時が１０：００：１０〜１０：００：３０の間の２０秒（＝Ｃ）で、放送日時情報が８０秒進み、前のレコードとのタイムシフト値の差分が、−６０秒（＝Ｄｔｓ）となった。よって、上式により、
Ｒ＝｛２０−（−６０）｝／２０＝４
となる。即ち、判定部４５は、判別テーブルを参照して、Ｒの値から４倍速、前方向、早送りのトリックプレイと判定する。
【００３２】
以下に、通常再生（等倍速再生）及びトリックプレイの判定のバリエーションを示す。
判定部４５は、検出されたデータから、上式によりＲ計算して再生操作内容を推定する。
Ｒ＝１：等倍速再生では、タイムシフト値は変わらない。
Ｒ＝０：一時停止（例、３秒）
たとえば、３秒、一時停止して再開した場合、タイムシフト値は３秒増える。３秒間はデータが出ない。
Ｒ＝∞：ジャンプ、スキップ（例、３０秒）
たとえば、一瞬で３０秒ジャンプ又はスキップした場合、タイムシフト値は３０秒小さくなる。また、検出時間の連続性は途切れていない。（０秒間で３０秒進ませたイメージ）
Ｒ＝３：早送り（例、１０秒間で３０秒進む。）、３倍速再生
１０秒間はデータが出ない。タイムシフト値は、２０秒小さくなる。
Ｒ＝０．５：スロー再生、前方向（例、１０秒間で５秒進む）
１０秒間はデータが出ない。タイムシフト値は５秒増えている。
Ｒ＝∞：ジャンプ、後ろ方向（例、３０秒）
タイムシフト値は３０秒長くなる。データの連続性は、途切れない。
Ｒ＝−１：巻き戻し、等倍速（例、１０秒）
巻き戻し中は、データが出ない（１０秒）。タイムシフト値は２０秒長くなる。
Ｒ＝−３：巻き戻し、３倍速（例、１０秒間で  ３０秒戻る）
巻き戻し中は、データが出ない。（１０秒）、タイムシフト値は、４０秒長くなる。
Ｒ＝−０．５：スロー再生、後ろ方向（例、１０秒間で５秒戻る）
１０秒間はデータが出ない。タイムシフト値は１５秒増えている。
【００３３】
４．表示例
図１２に、テーブル及びデータによる判定結果の表示例の図を示す。
計算部４９は、蓄積部４４を参照して、検出日時又はタイミング情報に対応して、指標Ｒ及び／又は再生操作の判定結果を示したテーブルを作成し、表示部又は出力部４６により表示又は出力する。
【００３４】
図１３に、グラフ１（視聴経過時間と再生位置の関係を表す）による判定結果の表示例の図を示す。
図中、座標（ｐ１，ｔ１）は、
ｐ１は、コンテンツの再生位置、
ｔ１は、視聴開始時間からの経過時間、
傾きＲは、再生速度の推測値
を表す。
このグラフは、次の順序で再生操作した場合を示す。
視聴開始
→  等倍速再生（Ｒ＝１）
→  一時停止（Ｒ＝０）
→  巻戻し（Ｒ＜−１）
→  倍速再生（Ｒ＞１）
→  ジャンプ（Ｒ＝∞）
→  等倍速再生（Ｒ＝１）
→  視聴終了
【００３５】
図１４に、グラフ２（再生速度Ｒの推測値の変化を表す）による判定結果の表示例の図を示す。
グラフ２は、グラフ１を微分したグラフである。
図中、座標（ｒ１，ｔ１）は、
ｒ１は、再生速度推測値、
ｔ１は、視聴開始時間からの経過時間、
を表す。
グラフ２の次式に示すＦ（ｔ）絶対値積分は、動画として再生されたコンテンツの素材尺の合計（ｄｕｒａｔｉｏｎ）を表す。
【数１】
2014064179.tif 000003
積分の例では、例えば、３倍速で１分間再生したとき、コンテンツとして表示された、３分を示す。
【００３６】
Ｂ．第２の実施の形態
第２の実施の形態は、タイミング情報として、第１の実施の形態で用いた放送日時情報のかわりに、再生位置情報を用いるものである。再生位置情報は、例えば、先頭からの秒数など位置を示す情報等のように、再生位置に対応する相対時刻を用いることができる。
【００３７】
図１５に、第２の実施の形態における蓄積部４４のフォーマットを示す。
蓄積部４４には、検出日時、タイミング情報としての再生位置情報（再生位置に対応する相対時刻等）、タイミング情報（再生位置情報）と検出日時の差分であるタイムシフト値、１レコード前との検出日時の差分Ｃ、１レコード前とのタイムシフト値の差分Ｄｔｓ、再生操作を表す指標Ｒ、を含むレコードが記憶される。
その他、システム、装置構成、処理等は、第１の実施の形態と同様である。
【００３８】
第２の実施の形態では、例えば、録画再生機３が、パッケージ素材（ＤＶＤ，ブルーレイ、動画ファイル、ストリーミング、ネット配信）等による記録媒体に記録されたコンテンツ又はネットワークから配信されたコンテンツ等を再生する場合を想定する。
パッケージ素材等の記録媒体又は配信等により再生する場合、再生位置を「日時」のフォーマットで規定できない場合がある。たとえば、コンテンツ素材の先頭位置を１９７０年１月１日の０時０分０秒などとして、上述のような計算及び判定処理を行っても、算出式として必要となるのは、検出日時の差分であったり、タイムシフト値の差分であるので、特段差し支えなく、適用することができる。
【００３９】
Ｃ．第３の実施の形態
図１６に、視聴状況調査システムの第３の実施の形態の構成図を示す。
本システムは、第１の実施の形態の構成ブロックに加え、マスターサーバ５を備え、さらに、処理部４０が、入力処理部４８を備える。入力処理部４８は、マスターサーバ（ＦＰサーバー）５から情報を得る。
【００４０】
以下に、入力処理部４８及びマスターサーバ５を用いたフィンガープリント（ＦＰ）でのタイミング情報の取得について説明する。
第３の実施の形態では、図４に示した視聴状況調査の処理手順のフローチャートのステップＳ１０２の変形例として、次のように処理が行われる。
第１の実施の形態のステップＳ１０２において、処理部４０が、映像・音声又はコンテンツ付加情報にタイミング情報が含まれていないこと、コンテンツ付加情報を受信できないこと等により、タイミング情報を検出できない場合は、処理部４０は入力処理部４８でフィンガープリント（ＦＰ）処理を行い、外部のマスターサーバ５と通信し、タイミング情報を取得するようにすることもできる。
フィンガープリント（ＦＰ）でのタイミング情報の取得については、概略次のように行われる。
入力処理部４８は、入力部４１から映像又は音声を入力し、映像又は音声のＦＰを生成する。マスターサーバ５では、エリア内全チャンネルの放送からキャプチャされた映像・音声信号からＦＰが生成され、放送日時・チャンネル情報に対応して、生成されたＦＰが、データベースとして予め蓄積されている。
入力処理部４８は、生成したＦＰのタイミング情報を得るために、マスターサーバ５に、生成されたＦＰを含めた放送日時の問合せを送信する。マスターサーバ５で、入力処理部４１から受信した問合せに含まれるＦＰと、データベースに蓄積されたＦＰとのマッチング処理を行う。マスターサーバ５は、マッチング処理により照合特定され、データベースのＦＰに対応する放送日時・チャンネル情報により、問合せのＦＰの放送日時を特定し、視聴状況調査装置４（入力処理部４８）に返答する。そして、処理部４０は、受信した放送日時をタイミング情報（放送日時情報）として用いて、映像・音声又はコンテンツ付加情報を受信した日時である検出日時とともに、蓄積部４４に記憶する。
【００４１】
また、第２の実施の形態のように、ＤＶＤなどのパッケージ素材等による記録媒体又は配信等により再生されるコンテンツの場合は、予め当該コンテンツがマスターサーバ５のデータベースにＦＰとして、再生位置情報とともに登録しておく。そして、入力処理部４８からの再生位置情報の問合せに対して、上述のようなＦＰのマッチング処理により、問合せのＦＰが記憶されていれば、該当する再生位置情報を特定し、視聴状況調査装置４（入力処理部４８）に返答することができる。そして、処理部４０は、受信した再生位置情報をタイミング情報として用いて、映像・音声又はコンテンツ付加情報を受信した日時である検出日時とともに、蓄積部４４に記憶する。
その他、システム、装置構成、処理等は、第１又は第２の実施の形態と同様である。例えば、その他の視聴状況調査の処理手順のフローチャートの各ステップについては、図４及びその説明箇所で示したものと同様である。
【００４２】
なお、ＦＰ処理はマスターサーバ５側で行ってもよく、その場合は、入力処理部４８は映像・音声信号をマスターサーバ５に送信し、タイミング情報を取得するようにしてもよい。
さらに、第１及び第２の実施の形態のステップＳ１０２を、上述のような入力処理部２８とマスターサーバ５によりタイミング情報を得る処理に置き換えるようにしてよい。すなわち、ステップＳ１０２において、検出部４２が、映像又は音声又はコンテンツ付加情報に埋め込まれたタイミング情報から放送日時情報・再生位置情報を検出することを実行しないで、たとえば、処理部４０が、入力処理部４８でフィンガープリント（ＦＰ）処理を行い、外部のマスターサーバ５と通信し、タイミング情報（放送日時情報・再生位置情報）を取得するか、又は、ＦＰ処理はマスターサーバ５側で行ってもよく、その場合は、入力処理部４８は映像・音声信号をマスターサーバ５に送信し、タイミング情報を取得するようにしてもよい。
【００４３】
Ｄ．第４の実施の形態
図１７に、視聴状況調査システムの第４の実施の形態の構成図を示す。
第４の実施の形態は、第１又は第２の実施の形態における視聴状況調査装置４の一部の機能を、外部の計算サーバ６で実施するようにしたものである。
処理部４０は、検出部４２が検出したタイミング情報と、時計部４３から求めた検出日時を、計算サーバ６に送信する。計算サーバ６内の計算部４９は、蓄積部４４に、タイミング情報と検出日時を受信し、記録する。
【００４４】
第４の実施の形態では、図４に示した第１又は第２の実施の形態についての視聴状況調査の処理手順のフローチャートにおいて、ステップＳ１０２を、上述のような、処理部４０と計算サーバ６の処理に置き換える。すなわち、ステップＳ１０２において、検出部４２が、映像又は音声又はコンテンツ付加情報に埋め込まれたタイミング情報から放送日時情報・再生位置情報を検出し、時計部４３から求めた検出日時とともに、計算サーバ６にこれら情報を送信し、受信した計算サーバ６は、受信した情報を蓄積部４４に記録する。
その他、システム、処理等は、第１又は第２の実施の形態と同様である。例えば、その他の視聴状況調査の処理手順のフローチャートの各ステップについては、図４及びその説明箇所で示したものと同様である。
【００４５】
（変形例）
図１８に、視聴状況調査システムの第４の実施の形態の変形例の構成図を示す。
また、図１９に、第４の実施の形態における変形例の蓄積部４４のフォーマットを示す。
第４の実施の形態の変形例は、計算サーバ６で行う機能を視聴状況調査装置４とは独立させることにより、複数の視聴状況調査装置４からのデータを一元的に処理することができるようにしたものである。
この場合、複数の視聴状況調査装置４に対してひとつの計算サーバ６を設ける。また、蓄積部４４の変形例としては、図１９のように、各視聴状況調査装置４毎のファイルを含むように構成する。各視聴状況調査装置４からは、タイミング情報と、検出日時に加え、視聴状況調査装置４の識別情報を送信し、計算サーバ６は、受信した各データを視聴状況調査装置４の識別情報毎に蓄積部４４に記憶する。
その他、システム、処理等は上述の第４の実施の形態と同様である。
【００４６】
Ｅ．第５の実施の形態
図２０に、視聴状況調査システムの第５の実施の形態の構成図を示す。
この実施の形態は、第３の実施の形態のマスターサーバ５及び入力処理部４８を、第４の実施の形態のシステムに適用したものである。
その他、システム、処理等は、第１乃至第４の実施の形態で説明したものと同様である。例えば、その他の視聴状況調査の処理手順のフローチャートの各ステップについては、図４及びその説明箇所で示したものと同様である。
【産業上の利用可能性】
【００４７】
第１乃至第４の実施の形態、及びそれらの変形例は適宜組合せて実施するようにしてもよい。
本発明は、テレビ、パソコン、ラジオ、携帯機器等の様々なコンテンツ・素材を放送・配信する放送局・メディアや、各種の受信機や録画再生装置の様々な視聴状況調査、調査や測定に適用することができる。
また、本発明の視聴状況調査方法・装置・システム、視聴状況計算装置は、その各手順をコンピュータに実行させるための視聴状況調査処理プログラム、視聴状況調査処理プログラムを記録したコンピュータ読み取り可能な記録媒体、視聴状況調査処理プログラムを含みコンピュータの内部メモリにロード可能なプログラム製品、そのプログラムを含むサーバ等のコンピュータ、等により提供されることができる。
【符号の説明】
【００４８】
１  放送局
２  受信機（テレビ等）
３  録画再生機（又は録画再生機能ソフト）
４  視聴状況調査装置
４０  処理部
４１  入力部
４２  検出部
４３  時計部
４４  蓄積部
４５  判別部
４６  表示部又は出力部
４７  判別テーブル
４８  入力処理部
４９  計算部
５    マスターサーバ
６    計算サーバ
【図１】
2014064179.tif 000004
【図２】
2014064179.tif 000005
【図３】
2014064179.tif 000006
【図４】
2014064179.tif 000007
【図５】
2014064179.tif 000008
【図６】
2014064179.tif 000009
【図７】
2014064179.tif 000010
【図８】
2014064179.tif 000011
【図９】
2014064179.tif 000012
【図１０】
2014064179.tif 000013
【図１１】
2014064179.tif 000014
【図１２】
2014064179.tif 000015
【図１３】
2014064179.tif 000016
【図１４】
2014064179.tif 000017
【図１５】
2014064179.tif 000018
【図１６】
2014064179.tif 000019
【図１７】
2014064179.tif 000020
【図１８】
2014064179.tif 000021
【図１９】
2014064179.tif 000022
【図２０】
2014064179.tif 000023